(57)【要約】【課題】フェーダの機能を切替可能とすることで小型化を図りつつ、操作性を改善した調光操作器を提供する。【解決手段】プリセットモードにおいては、各フェーダ１０はチャンネルごとに対応付けられているので、フェーダ１０を操作すれば対応するチャンネルの調光レベルが変化する。この状態で、シーン再生モードに切り替えるための第２の切替スイッチＳＷ２が押操作されると、切替手段は、実際のフェーダ１０の操作値に関係なく調光信号を切替スイッチの操作時点の状態に維持する過渡状態に移行する。過渡状態において、全てのフェーダ１０が０％まで下げられると、切替手段はシーン再生モードへの切り替えを完了する。この状態では、各フェーダ１０はシーンごとに対応付けられているので、フェーダ１０を操作すれば対応するシーンの再生レベルが変化する。【選択図】図１
2011150979.tif 000002
【特許請求の範囲】
【請求項１】
複数チャンネルに分けられた複数の照明負荷をチャンネルごとに調光制御する調光装置の各々に対して、照明負荷を調光制御するための調光信号を出力する調光操作器であって、それぞれ個別に操作可能な複数のフェーダと、チャンネルごとにフェーダで設定された操作値に応じて照明負荷の明るさを制御する調光レベルを決定するプリセット部と、プリセット部から出力される複数チャンネルの調光レベルの組み合わせをシーンとして記憶するシーン記憶部と、シーンごとにフェーダで設定された操作値とシーン記憶部に記憶された調光レベルとの積に応じて調光レベルを決定するシーン再生部と、フェーダの出力をプリセット部で用いるプリセットモードとフェーダの出力をシーン再生部で用いるシーン再生モードとの２つの動作モードを切り替える切替手段とを備え、切替手段は、さらに動作モードを切り替えるための切替スイッチを有し、切替スイッチが操作されると、プリセット部およびシーン再生部への出力をフェーダの出力に関係なく切替スイッチの操作時点の状態に維持する過渡状態に移行し、過渡状態において全てのフェーダが可動範囲の最小値まで下げられた第１の時点と、第１の時点の後にフェーダが操作された第２の時点とのいずれかの時点で動作モードを切り替えることを特徴とする調光操作器。
【請求項２】
前記切替手段は、前記プリセットモードおよび前記シーン再生モードの別と前記過渡状態か否かとを表示する表示部を有することを特徴とする請求項１記載の調光操作器。
【請求項３】
前記切替手段は、前記シーン再生モードから前記プリセットモードへの切替時には前記第２の時点において動作モードを切り替え、第２の時点から前記フェーダが上がるに連れて前記シーン再生部への出力を徐々に低下させることを特徴とする請求項１または請求項２に記載の調光操作器。
【発明の詳細な説明】
【技術分野】
【０００１】
本発明は、舞台や劇場、宴会場やホールなどに用いられる照明負荷を調光制御するための調光操作器に関するものである。
【背景技術】
【０００２】
従来から、舞台や劇場、宴会場やホールなどでは、照明負荷への供給電力を調節する調光装置が使用されている。調光装置は、調光操作器から与えられる調光信号に基づいて照明負荷への供給電力を調節し、調節後の電力を照明負荷に供給することで照明負荷を調光制御する。
【０００３】
調光装置に調光信号を出力する調光操作器は、スライド型のフェーダを複数本有し、各フェーダを操作することにより照明負荷の明るさ、つまり調光レベルなどを操作することができる。フェーダには、チャンネルと呼ばれる照明負荷のグループ単位で調光レベルを設定するプリセットフェーダ（「チャンネルフェーダ」ともいう）がある。つまり、プリセットフェーダはチャンネルごとに対応付けられており、各チャンネルの照明負荷は、対応するプリセットフェーダの操作値に応じて決まる調光レベルにて点灯する。
【０００４】
さらに、近年では多様化する照明演出に対応するために、複数のプリセットフェーダを操作して作り出した複数チャンネルの照明負荷の状態をシーンとして予め記憶しておくことが一般的である。これにより、予め設定された複数のシーンの中から所望のシーンを指定して再生すれば、複数チャンネルの照明負荷は、指定されたシーン記憶時における複数のプリセットフェーダの操作値に応じて決まる調光レベルにて点灯する。
【０００５】
このシーン再生に対応するため、プリセットフェーダ以外にサブマスタフェーダがフェーダとして設けられた調光操作器が提案されている（たとえば特許文献１参照）。サブマスタフェーダは、予め記憶されたシーンごとに対応付けられており、各シーンは、対応するサブマスタフェーダの操作値に応じて決まる再生レベルにて再生される。したがって、各シーンを再生する明るさを任意に調節できるだけでなく、複数のサブマスタフェーダを操作することで、複数のシーンを重ね合わせて再生することなども可能となる。
【０００６】
ただし、上述したようなプリセットフェーダとサブマスタフェーダとの２種類のフェーダは、それぞれ複数のチャンネルおよび複数のシーンに対応付けられるから、チャンネル数およびシーン数が多くなるとそれぞれの占有スペースが大きくなる。そのため、調光操作器がプリセットフェーダとサブマスタフェーダとを別々に備えている場合、調光操作器の小型化を図るにはチャンネル数およびシーン数を少なく抑える必要があり、調光操作器の機能が犠牲になるという問題がある。
【０００７】
そこで、フェーダの機能をプリセットフェーダとしての機能とサブマスタフェーダとしての機能とで切替可能な切替スイッチを設けることが考えられる。これにより、同一のフェーダをプリセットフェーダとサブマスタフェーダとに兼用することができ、チャンネル数およびシーン数を少なく抑えることなく、フェーダの占有スペースを小さくして調光操作器の小型化を図ることが可能となる。
【先行技術文献】
【特許文献】
【０００８】
【特許文献１】特許第２６３８０１８号公報
【発明の概要】
【発明が解決しようとする課題】
【０００９】
しかし、上述した構成の調光操作器では、ユーザの手が不意に切替スイッチに当たるなどして、ユーザが意図しないでフェーダの機能が切り替わってしまうことがある。また、フェーダの機能が切り替わった直後のフェーダの操作値は、切替直前のフェーダの操作値となるため、フェーダの機能の切替直後にユーザが意図しない照明負荷から光が出てしまうことがある。結果的に、フェーダの機能を切替可能としたことにより操作性が悪くなるという問題がある。
【００１０】
本発明は上記事由に鑑みて為されたものであって、フェーダの機能を切替可能とすることで小型化を図りつつ、操作性を改善した調光操作器を提供することを目的とする。
【課題を解決するための手段】
【００１１】
請求項１の発明は、複数チャンネルに分けられた複数の照明負荷をチャンネルごとに調光制御する調光装置の各々に対して、照明負荷を調光制御するための調光信号を出力する調光操作器であって、それぞれ個別に操作可能な複数のフェーダと、チャンネルごとにフェーダで設定された操作値に応じて照明負荷の明るさを制御する調光レベルを決定するプリセット部と、プリセット部から出力される複数チャンネルの調光レベルの組み合わせをシーンとして記憶するシーン記憶部と、シーンごとにフェーダで設定された操作値とシーン記憶部に記憶された調光レベルとの積に応じて調光レベルを決定するシーン再生部と、フェーダの出力をプリセット部で用いるプリセットモードとフェーダの出力をシーン再生部で用いるシーン再生モードとの２つの動作モードを切り替える切替手段とを備え、切替手段が、さらに動作モードを切り替えるための切替スイッチを有し、切替スイッチが操作されると、プリセット部およびシーン再生部への出力をフェーダの出力に関係なく切替スイッチの操作時点の状態に維持する過渡状態に移行し、過渡状態において全てのフェーダが可動範囲の最小値まで下げられた第１の時点と、第１の時点の後にフェーダが操作された第２の時点とのいずれかの時点で動作モードを切り替えることを特徴とする。
【００１２】
この構成によれば、切替手段で動作モードを切り替えることによりフェーダの機能を切替可能となり、フェーダの占有スペースを小さくして小型化を図ることができる。しかも、切替手段は、切替スイッチが操作されると、プリセット部およびシーン再生部への出力をフェーダの出力に関係なく切替スイッチの操作時点の状態に維持する過渡状態に移行するので、切替スイッチが操作されただけでは動作モードが切り替わることはなく、照明負荷は切替スイッチ操作直前の状態に維持される。また、切替手段は、過渡状態において、全てのフェーダが可動範囲の最小値まで下げられて初めて動作モードを切り替えるので、動作モードの切替直後のフェーダの操作値はゼロとなる。したがって、フェーダの機能の切替直後にユーザが意図しない照明負荷から光が出てしまうことはない。結果的に、フェーダの機能を切替可能としつつも、操作性が改善されるという利点がある。
【００１３】
請求項２の発明は、請求項１の発明において、前記切替手段が、前記プリセットモードおよび前記シーン再生モードの別と前記過渡状態か否かとを表示する表示部を有することを特徴とする。
【００１４】
この構成によれば、ユーザは、プリセットモードおよびシーン再生モードの別と過渡状態か否かとを確認した上でフェーダを操作することができるので、動作モードの勘違い等によるフェーダの操作ミスをなくすことができる。
【００１５】
請求項３の発明は、請求項１または請求項２の発明において、前記切替手段が、前記シーン再生モードから前記プリセットモードへの切替時には前記第２の時点において動作モードを切り替え、第２の時点から前記フェーダが上がるに連れて前記シーン再生部への出力を徐々に低下させることを特徴とする。
【００１６】
この構成によれば、シーン再生モードにおける照明負荷の点灯状態と、プリセットモードにおける照明負荷の点灯状態とが徐々に入れ替わるように切り替わるため、動作モードの切り替えの前後において照明負荷の点灯状態をスムーズに変化させることができる。
【発明の効果】
【００１７】
本発明は、切替手段を備えることにより、フェーダの機能を切替可能とし小型化を図ることができる。また、切替手段は、過渡状態において、全てのフェーダが可動範囲の最小値まで下げられて初めて動作モードを切り替えるので、操作性が改善されるという利点がある。
【図面の簡単な説明】
【００１８】
【図１】本発明の実施形態１の動作を示す説明図である。
【図２】同上の調光操作器を用いる調光システムの概略システム構成図である。
【図３】同上の調光操作器の構成を示す概略ブロック図である。
【図４】本発明の実施形態２の動作を示す説明図である。
【発明を実施するための形態】
【００１９】
（実施形態１）
本実施形態では、図２に示すように複数台の照明負荷２を調光制御の対象とした調光システムに用いる調光操作器１を例として、本発明の調光操作器について説明する。
【００２０】
図２の調光システムは、調光レベルを指示するための調光信号を出力する調光操作器１と、複数台の調光装置３を有した調光盤３０とを備えている。各調光装置３は、調光操作器１からの調光信号を個別に受信し、当該調光信号で表される調光レベルで点灯させるように、対象となる照明負荷２を調光制御する。
【００２１】
調光装置３は、スイッチング素子を具備し交流電源（図示せず）から照明負荷２へ供給される負荷電流の位相制御を行う調光回路（図示せず）と、調光操作器１からの調光信号を受けて調光回路を制御する調光制御部（図示せず）とを備えている。スイッチング素子は、交流電源から照明負荷２への給電路に挿入され、交流電源より供給される交流電流の任意の位相角からゼロクロス点までの間に導通する。調光制御部は、調光操作器１からの調光信号に応じてスイッチング素子の位相角を変化させることで、単位時間に照明負荷２に供給される電力量を調節し、照明負荷２の調光制御を行う。
【００２２】
調光操作器１は、ユーザからの操作入力に応じて、調光盤３０の各調光装置３に対してＤＭＸ信号からなる調光信号を送信する。ＤＭＸ信号は、最大で５１２個のチャンネルのデータを送信可能であって、１チャンネルごとに２５６段階の調光レベルのデータが付与される信号である。
【００２３】
ところで、調光操作器１は、スライド型のフェーダ１０（図１参照）を複数本有し、各フェーダ１０が操作されるとその操作値により照明負荷２の明るさ、つまり調光レベルなどを操作することができる。フェーダ１０の操作値は、０〜１００％の間で連続的に変化する。
【００２４】
フェーダ１０には、チャンネルと呼ばれる照明負荷２のグループ単位で調光レベルを設定するプリセットフェーダと、後述するサブマスタフェーダとの２種類の機能がある。プリセットフェーダはチャンネルごとに対応付けられており、各チャンネルの照明負荷２は、対応するプリセットフェーダの操作値に応じて決まる調光レベルにて点灯する。
【００２５】
調光操作器１は、図３に示すようにチャンネルごとにプリセットフェーダで設定された操作値に応じて調光レベルを決定するプリセット部１１と、調光装置３に対して調光レベルを含む調光信号を出力する出力部１２とを備えている。なお、図３では１つのフェーダ１０のみを図示するが、実際には複数のフェーダ１０を有するものとする。
【００２６】
また、調光操作器１は、プリセット部１１から出力される複数チャンネルの調光レベルの組み合わせをシーンとして記憶するシーン記憶部１３を備えている。さらに、調光操作器１は、シーンごとにサブマスタフェーダで設定された操作値とシーン記憶部１３に記憶された調光レベルとの積に応じて調光レベルを決定するシーン再生部１４とを備えている。
【００２７】
シーン記憶部１３は、調光操作器１に設けた複数の記憶ボタンＢ１〜Ｂｎ（図１参照）にそれぞれ対応した複数のシーンを記憶可能に構成される。シーン再生部１４は、シーンごとにサブマスタフェーダで設定された操作値とシーン記憶部１３に記憶された調光レベルとの積に応じて調光レベルを決定する。つまり、サブマスタフェーダはシーンごとに対応付けられており、各シーンは、対応するサブマスタフェーダの操作値に応じて決まる再生レベルにて再生される。
【００２８】
要するに、この調光操作器１は、複数のプリセットフェーダを操作して作り出した複数チャンネルの照明負荷２の状態をシーンとして予め記憶しておくことができる。予め設定された複数のシーンの中から所望のシーンを指定して再生すれば、複数チャンネルの照明負荷２は、指定されたシーンの記憶時における複数のプリセットフェーダの操作値に応じて決まる調光レベルにて点灯する。
【００２９】
ここで、本実施形態の調光操作器１は、複数のシーンを重ね合わせて再生し、再生中のシーンに対応する再生レベルと各チャンネルごとの調光レベルとの積のうち最高の値が各チャンネルの照明負荷２の調光レベルとなるようにするハイエスト演算を採用する。したがって、各シーンを再生する明るさを任意に調節できるだけでなく、複数のサブマスタフェーダを操作することで、複数のシーンを重ね合わせて再生することなども可能となる。
【００３０】
以下、ハイエスト演算について説明する。下記表１は、シーン１、シーン２の各々について全チャンネル（ＣＨ１〜９）分の調光レベルの組み合わせを示しており、これら調光レベルの組み合わせがそれぞれ「シーン１」、「シーン２」として記憶されていることを表す。また、下記表２は、シーン１、シーン２をいずれも再生レベル＝１００％として同時再生したときの、ハイエスト演算の結果（つまり各チャンネルの調光レベル）を表す。
【００３１】
【表１】
2011150979.tif 000003
【００３２】
【表２】
2011150979.tif 000004
ここでは一例として、「シーン１」は、舞台上に組まれたセットを照らす目的で、舞台上のセット（ここでは喫茶店の店内を表すセットとする）に合わせて各チャンネルの調光レベルが設定された、ベースとなる照明パターンを実現するものとする。つまり、シーン１では、たとえば窓際の席を照明するチャンネルの調光レベルを高く設定し、窓から少し離れた席を照明するチャンネルの調光レベルを低めに設定するなどして、喫茶店の店内の雰囲気を再現する。
【００３３】
一方、「シーン２」は、人物を照らす目的で、舞台上の人物の立ち位置に合わせて各チャンネルの調光レベルが設定された、付加的な照明パターンを実現するものとする。つまり、シーン２では、たとえば舞台上の主役の立ち位置を照明するチャンネルの調光レベルを高く設定し、脇役の立ち位置を照明するチャンネルの調光レベルを低めに設定するなどして、舞台上の人物を目立たせることができる。
【００３４】
この例では、シーン１、シーン２のいずれも再生レベル＝１００％であるため、再生中のシーンに対応する再生レベルと調光レベルとの積は、シーン１、シーン２の各調光レベルと同じ値になる。したがって、これらシーン１とシーン２とでハイエスト演算を行うと、各チャンネルの照明負荷２は、表２のようにシーン１、シーン２のうち高い方の調光レベルを用いて調光制御される。結局、窓際の席を照明するチャンネルによって窓際の席が明るく照らされるのに加え、主役の立ち位置を照明するチャンネルによって主役が明るく照らされることになる。
【００３５】
さらにその後、舞台上に組まれたセットは変えずに人物の立ち位置だけが変わる場合には、シーン１はそのままとし、シーン２のみを、別の立ち位置に合わせて設定されたシーン３に変更することで、シーン１、シーン３を同時再生すればよい。これにより、シーン１はそのまま再生されているので、喫茶店の店内の雰囲気が急に変わってしまうことを回避できる。
【００３６】
以上のように、ハイエスト演算を行うことで、各チャンネルの調光レベルはシーン毎にそれぞれの目的に応じて設定することが可能となり、しかも、いずれかのシーンのみを変えることで照明パターンの急な変化を防止することができるという利点がある。
【００３７】
また、ここでは一例としてシーン１をベースとし、シーン２を付加的に利用する場合について説明したが、ハイエスト演算は、このような使い方に限るものではない。すなわち、たとえば１０個のシーンが記憶されている場合、個々のシーンを個別に再生するだけでは１０種類の照明パターンしか実現できない。これに対し、ハイエスト演算を用いれば、複数のシーンの組み合わせによって実現可能な照明パターンが大幅に増えることになり、この点でもメリットがある。
【００３８】
ところで、本実施形態の調光操作器１は、上述したプリセットフェーダとサブマスタフェーダとを同一のフェーダ１０の機能を切り替えることで実現する。すなわち、調光操作器１は、フェーダ１０の機能をプリセットフェーダとサブマスタフェーダとの間で切り替える切替手段１５を備えており、同一のフェーダ１０をプリセットフェーダおよびサブマスタフェーダとして兼用する。これにより、プリセットフェーダとして用いるフェーダ１０とサブマスタフェーダとして用いるフェーダ１０とを別々に設ける場合に比べ、調光操作器１においてフェーダ１０が占有するスペースを小さくでき、調光操作器１の小型化を図ることができる。
【００３９】
切替手段１５は、フェーダ１０が出力する操作値を、プリセット部１１に入力するプリセットモードと、シーン再生部１４に入力するシーン再生モードとの２つの動作モードを切り替える。これにより、フェーダ１０は、プリセットモードにおいてはプリセットフェーダとして機能し、シーン再生モードではサブマスタフェーダとして機能する。
【００４０】
したがって、プリセットモードにおいては、プリセット部１１がフェーダ１０の操作値を受け、チャンネルごとにフェーダ１０の操作値に応じて調光レベルを出力部１２に出力する。出力部１２は、プリセット部１１から受けた調光レベルの調光信号を生成し、調光装置３に出力する。また、プリセットモードでは、シーン記憶部１３は、いずれかの記憶ボタンＢ１〜Ｂｎが操作されると、記憶ボタンＢ１〜Ｂｎの操作時点での調光レベルの組み合わせを、操作された記憶ボタンＢ１〜Ｂｎに対応するシーンとして記憶する。
【００４１】
一方、シーン再生モードにおいては、シーン再生部１４がフェーダ１０の操作値を受け、シーンごとにフェーダ１０の操作値に応じた再生レベルを決定し、当該再生レベルとシーン記憶部１３に記憶された調光レベルとの積を調光レベルとして出力部１２に出力する。出力部１２は、シーン再生部１４から受けた調光レベル（再生レベルと調光レベルとの積）の調光信号を生成し、調光装置３に出力する。
【００４２】
さらに詳しく説明すると、切替手段１５は、ユーザから動作モード切り替えの操作を受け付ける切替スイッチＳＷと、切替スイッチＳＷの操作により動作モードを切り替える切替処理部１６と、フェーダ１０の操作値を一時的に記憶する操作値記憶部１７とを有する。切替スイッチＳＷは、プリセットモードへ切り替えるための第１の切替スイッチＳＷ１（図１参照）と、シーン再生モードへ切り替えるための第２の切替スイッチＳＷ２（図１参照）とからなるが、以下、各々を特に区別しないときには単に切替スイッチＳＷという。
【００４３】
切替処理部１６は、切替スイッチＳＷが操作されると、切替スイッチＳＷの操作時点におけるフェーダ１０の操作値を記憶値として操作値記憶部１７に記憶するとともに、記憶値により調光レベルを決定する過渡状態に移行する。
【００４４】
すなわち、過渡状態では、プリセット部１１とシーン再生部１４との両方がフェーダ１０から切り離され、フェーダ１０の実際の操作には関係なく記憶値を操作値として用いることにより調光レベルが決定される。したがって、過渡状態においては、プリセット部１１およびシーン再生部１４への出力は切替スイッチＳＷが操作された時点の状態に維持されることになる。
【００４５】
切替処理部１６は、過渡状態において、ユーザの操作により全てのフェーダ１０が可動範囲の最小値（ここでは０％）まで下げられた時点（第１の時点）で動作モードを切り替える。そのため、切替手段１５は、切替スイッチＳＷが操作されても、すぐに動作モードを切り替えることはなく、まず過渡状態に移行し、この過渡状態で全フェーダ１０が操作されて０％になって初めて動作モードを切り替える。なお、過渡状態で、元の動作モードに戻すための切替スイッチＳＷが操作されると、過渡状態を抜けて元の動作モードに復帰する。
【００４６】
さらに切替手段１５は、動作モード（プリセットモード・シーン再生モード）の別を表示する表示部としての機能を有している。本実施形態では切替スイッチＳＷに発光式のスイッチを用いることで、切替スイッチＳＷを表示部として兼用する。つまり、プリセットモードにおいては第１の切替スイッチＳＷ１を点灯させ、シーン再生モードでは第２の切替スイッチＳＷ２を点灯させることで動作モードの別を表示する。
【００４７】
さらに、表示部は、過渡状態では各切替スイッチＳＷ１，ＳＷ２を点滅させ、過渡状態以外では各切替スイッチＳＷ１，ＳＷ２を連続点灯させることにより、過渡状態か否かについても表示する。これにより、ユーザにおいては、動作モードの別と過渡状態か否かとを併せて確認することができる。
【００４８】
以下、上述した構成の調光操作器１の動作について図１を参照して簡単に説明する。なお、図１では切替スイッチＳＷが消灯中であることを白抜き、連続点灯中であることを黒塗り、点滅中であることを斜線で表している。
【００４９】
まず、プリセットモードにおいては、図１（ａ）に示すように第１の切替スイッチＳＷ１が連続点灯し、フェーダ１０がプリセットフェーダとして機能する。この状態では、各フェーダ１０はチャンネルごとに対応付けられているので、フェーダ１０を操作すれば対応するチャンネルの調光レベルが変化する。図１（ａ）の例では、チャンネルＣＨ１に対応するフェーダ１０の操作値が７５％、チャンネルＣＨ１以外のフェーダ１０が全て０％に調節されており、出力部１２は、チャンネルＣＨ１の照明負荷２のみを７５％の調光レベルで点灯させるような調光信号を出力する。
【００５０】
図１（ａ）の状態で、シーン再生モードに切り替えるための第２の切替スイッチＳＷ２が押操作されると、切替手段１５は過渡状態に移行するので、図１（ｂ）に示すように第１の切替スイッチＳＷ１を点滅させて過渡状態にあることを表示する。この状態では、実際のフェーダ１０の操作値に関係なく、操作値記憶部１７に記憶された記憶値（切替スイッチＳＷ２の操作時点におけるフェーダ１０の操作値）により調光レベルが決定される。したがって、出力部１２は、フェーダ１０の操作値に関わらず、切替スイッチＳＷ２の操作前と同様の調光信号を継続して出力する。
【００５１】
図１（ｂ）の過渡状態において、全てのフェーダ１０が０％まで下げられると、切替手段１５はシーン再生モードへの切り替えを完了し、図１（ｃ）に示すように第２の切替スイッチＳＷ２を点灯させシーン再生モードにあることを表示する。この状態では、各フェーダ１０はシーンごとに対応付けられているので、フェーダ１０を操作すれば対応するシーンの再生レベルが変化する。たとえば、シーンＳ１に対応するフェーダ１０の操作値が７５％、シーンＳ１以外のフェーダが全て０％に調節されると、シーン再生部１４は、シーンＳ１のみを７５％の再生レベルで再生する。これにより、出力部１２は、シーンＳ１として記憶されている複数チャンネル分の調光レベルの組み合わせに、７５％を掛け合わせた調光レベルで照明負荷２を点灯させるような調光信号を出力する。
【００５２】
シーン再生モードにおいて、プリセットモードに切り替えるための第１の切替スイッチＳＷ１が押操作されると、切替手段１５は過渡状態に移行するので、図１（ｄ）に示すように第２の切替スイッチＳＷ２を点滅させて過渡状態にあることを表示する。この状態では、実際のフェーダ１０の操作値に関係なく、操作値記憶部１７に記憶された記憶値（切替スイッチＳＷ１の操作時点におけるフェーダ１０の操作値）により調光レベルが決定される。したがって、出力部１２は、フェーダ１０の操作値に関わらず、切替スイッチＳＷ１の操作前と同様の調光信号を継続して出力する。
【００５３】
以上説明した構成の調光操作器１では、切替手段１５は、切替スイッチＳＷが操作されただけでは動作モードを切り替えることはなく、まず過渡状態に移行し、この過渡状態で全フェーダ１０が操作されて０％になって初めて動作モードを切り替える。そのため、ユーザの手が不意に切替スイッチＳＷに当たるなどしても、ユーザが意図しないでフェーダ１０の機能が切り替わってしまうことを回避できる。
【００５４】
しかも、フェーダ１０の機能が切り替わった直後のフェーダ１０の操作値は、全て０％となり、切替直前のフェーダ１０の操作値には依存しない。たとえば、プリセットモードにおいて、チャンネルＣＨ１に対応するフェーダ１０の操作値が７５％の状態で切替スイッチＳＷ２が操作されても、シーン再生モードへの切替時には全てのフェーダ１０が０％に下げられることになる。そのため、フェーダ１０の切替直後にユーザが意図しない照明負荷２から光が出てしまう事態を回避できる。結果的に、フェーダ１０の機能を切替可能として調光操作器１の小型化を図りつつも、調光操作器１の操作性が改善されることになる。
【００５５】
（実施形態２）
本実施形態の調光操作器１は、切替手段１５が、動作モードの切り替えが完了する際、フェーダ１０が０％から上がるに連れて記憶値の出力を徐々に低下させるクロスチェンジ機能を有する点が実施形態１の調光操作器１と相違する。
【００５６】
本実施形態では、切替処理部１６は、過渡状態において全てのフェーダ１０が０％まで下げられた時点（第１の時点）では動作モードを切り替えず、その後にいずれかのフェーダ１０が操作された時点（第２の時点）で動作モードを切り替える。ここで、クロスチェンジ機能は、切替スイッチＳＷの上方に設けられたシフトスイッチＳＷ０（図１参照）を押操作しながらフェーダ１０を操作することにより発動する。つまり、クロスチェンジ機能を用いるか否かはユーザの判断により選択可能である。
【００５７】
まず、クロスチェンジ機能を用いない場合の調光操作器１の動作について説明する。この場合、切替スイッチＳＷ操作後の過渡状態において、全てのフェーダ１０が０％まで下げられた後、いずれかのフェーダ１０が上げられると、途端に記憶値の出力が停止する。そのため、過渡状態から抜けて動作モードが切り替わった際に、照明負荷２は一瞬全消灯することになる。
【００５８】
次に、クロスチェンジ機能を用いた場合の調光操作器１の動作について図４を参照して説明する。図４では、シーン再生モードから第１の切替スイッチの操作によりプリセットモードに切り替わる際の動作を示し、横軸を時間軸として、縦軸にプリセット部１１およびシーン再生部１４の出力を表す。図４中、実線は切替手段１５からプリセット部１１への出力、二点鎖線は切替手段１５からシーン再生部１４への出力を示している。
【００５９】
シーン再生モード中に第１の切替スイッチＳＷ１が押操作されると、調光レベルはフェーダ１０の実際の操作値から切り離され、切替スイッチＳＷ１が操作される直前の操作値（記憶値）により決定される。そのため、全てのフェーダ１０が０％まで下げられた時刻ｔ１においても、記憶値によりシーン再生部１４への出力（再生レベル）が維持される（ｔ１〜ｔ２）。このとき、プリセット部１１への出力（調光レベル）は０％である。
【００６０】
時刻ｔ２においてユーザがシフトスイッチＳＷ０を押操作しながらいずれかのフェーダ１０を上げると、動作モードがプリセットモードに切り替わるため、それ以降はプリセット部１１への出力がフェーダ１０の上昇に伴い上昇する（ｔ２〜ｔ３）。ただし、クロスチェンジ機能により、シーン再生部１４への出力は急に０％になるのではなくフェーダ１０が上昇するに従って徐々に低下する。ここでは、フェーダ１０が１００％まで上昇するとシーン再生部１４への出力が０％になるようにする。
【００６１】
時刻ｔ３においてフェーダ１０の操作値が１００％に達すると、プリセットモードに完全に切り替わりシーン再生部１４への出力は０％となる。そのため、時刻ｔ３以降は、フェーダ１０はプリセットフェーダとして機能し、フェーダ１０の操作値はシーン再生部１４から完全に切り離される（ｔ３〜ｔ４）。
【００６２】
以上説明したように、クロスチェンジ機能を用いることにより、シーン再生モードにおける照明負荷２の点灯状態と、プリセットモードにおける照明負荷２の点灯状態とが徐々に入れ替わる。このクロスチェンジ機能は、動作モードの切り替えが完了する際に、切り替えの前後において照明負荷２の点灯状態をスムーズに変化させるために使用される。
【００６３】
なお、図４ではシーン再生モードからプリセットモードへの切替時の動作を例示したが、プリセットモードからシーン再生モードへの切替時にも同様にクロスチェンジ機能を利用可能である。
【００６４】
その他の構成および機能は実施形態１と同様である。
【符号の説明】
【００６５】
１  調光操作器
１０  フェーダ
１１  プリセット部
１３  シーン記憶部
１４  シーン再生部
１５  切替手段
ＳＷ１，ＳＷ２  切替スイッチ
【図１】
2011150979.tif 000005
【図２】
2011150979.tif 000006
【図３】
2011150979.tif 000007
【図４】
2011150979.tif 000008